(57)【特許請求の範囲】
【請求項１】
装置本体と；
前記装置本体に取り付けられ、光を出射する光源と；
開口部を有する筐体およびこの開口部から外方を望むように前記筐体に配設され所定の検知範囲を有する受光部を有し、前記装置本体の端部から突出した位置に取り付けられ、前記光源の光出力制御を行う一対のセンサと；
前記一対のセンサの筐体にそれぞれ設けられ、前記センサの筐体を前記装置本体に対してパーン及びチルトの回動によって、前記センサの開口部から外方を望む方向を平行でない２平面内で可変とする角度調節部と；
を具備し、
一方のセンサと他方のセンサにおける外方を望む方向がパーンによる回動によって異なる方向とされ、かつそれぞれのセンサがチルトの回動により所望方向とされ、それぞれのセンサの監視範囲が重ならないように設定されていることを特徴とする照明装置。
【請求項２】
前記センサの受光部は、筐体の一部を受光部の検知範囲に位置させ受光部の実効的な検知範囲を調整することを特徴とする請求項１に記載の照明装置。
【請求項３】
前記角度調整部は、装置本体とセンサとを接続する軸部を有し、装置本体の端部からのセンサの突出寸法を可変とすることを特徴とする請求項１または２に記載の照明装置。
【請求項４】
前記センサは、装置本体の両端にそれぞれ配設されていることを特徴とする請求項１ないし３のいずれか一記載の照明装置。
【請求項５】
前記装置本体に設けられ、前記装置本体の背面に対して一方の側面から他方の側面へ向かって背面からの距離が小さくなるように傾斜した反射板を有し、前記センサは装置本体の端部の中央より、一方の側面側に配設されたことを特徴とする請求項１ないし４のいずれか一記載の照明装置。
【請求項６】
前記センサは、装置本体の一端側に一対配設されていることを特徴とする請求項１ないし３のいずれか一に記載の照明装置。
【請求項７】
センサの開口部から外方を望む方向を第１の平面内で可変させる場合において、操作により、前記望む方向を固定するための第１の固定手段と、
センサの開口部から外方を望む方向を第２の平面内で可変させる場合において、操作により、前記望む方向を固定するための第２の固定手段と、
を備え、
第１の平面内で可変させる場合における前記望む方向が装置本体と第１の所定関係となるセンサの第１のホームポジションと、第２の平面内で可変させる場合における前記望む方向が装置本体と第２の所定関係となるセンサの第２のホームポジションとを有し、
センサの姿勢が前記第１のホームポジションと第２のホームポジションとに共に揃ったときには、前記第１の固定手段と前記第２の固定手段を同一方向から操作可能な位置に前記第１の固定手段と前記第２の固定手段が位置付けられることを特徴とする請求項１乃至６のいずれか１項に記載の照明装置。
【請求項８】
装置本体が壁または天井に配置された場合には、前記同一方向からの操作は床方向からの操作となる前記第１の固定手段と前記第２の固定手段が位置付けられることを特徴とする請求項７に記載の照明装置。
【請求項９】
前記角度調節部は、第１の平面内で可変させる場合に回動する第１の部品と、第２の平面内で可変させる場合に回動する第２の部品と、第２の部品の回動の基部を有する第３の部品とを備え、
前記第１の部品には、第１の平面内で可変させる場合の前記望む方向を指示する第１の目盛が設けられ、
前記第３の部品には、第２の平面内で可変させる場合の前記望む方向を指示する第２の目盛が設けられ、
前記第３の部品には、第１の目盛の刻みと第２の目盛の刻みをそれぞれ選択的に指し示す共通の位置マークが設けられていることを特徴とする請求項１乃至７のいずれか１項に記載の照明装置。
【発明の詳細な説明】
【技術分野】
【０００１】
この発明は、センサを備えた照明装置に関するものである。
【背景技術】
【０００２】
従来、この種の照明装置としては、蛍光灯の器具本体にセンサが取り付けられ、センサ部分が反射板から光の照射方向に突出するように構成されたものが知られている(特許文献参照１)。
【０００３】
上記の照明器具にあってはセンサが固定されており、検知エリアの調整は不可能であった。このため、検知エリアを調整する場合には、テープなどをセンサ部分に張り付けて対応する必要があり、作業が煩わしいばかりか適切に検知エリアの調整を行うことは困難であった。また、蛍光灯からの光などによりセンサが誤動作するという問題もあった。
【０００４】
上記に対し、器具本体の両端部に円筒状本体を有するセンサが被取付部に対して回動可能に取り付けられ、受光部の向きを上記回動により調整可能な照明器具が開発されている（特許文献２参照）。
【０００５】
この構成によれば、上記回動により受光部の向きが調整可能であるものの、照明器具を取り付ける位置や取り付けられた照明器具の姿勢によっては、検出方向の向きを所望する方向とすることができず、適切な照明制御を行うことができない問題が残る。
【特許文献１】特開２００１−２９１４１９号公報
【特許文献２】特開２００５−１５００３０号公報
【発明の開示】
【発明が解決しようとする課題】
【０００６】
本発明は上記のようなセンサを備えた照明装置の現状に鑑みてなされたもので、その目的は、検知エリアの調整を容易に適切に行うことが可能であり、取り付け位置や取り付けられた照明装置の姿勢に拘わりなく、検出方向の向きを所望とすることができ、これによって適切な照明制御が可能となる照明装置を提供することである。また、光源からの光などによりセンサが誤動作することを防止する照明装置を提供することを目的とする。
【課題を解決するための手段】
【０００７】
本発明に係る照明装置は、装置本体と；前記装置本体に取り付けられ、光を出射する光源と；開口部を有する筐体およびこの開口部から外方を望むように前記筐体に配設され所定の検知範囲を有する受光部を有し、前記装置本体の端部から突出した位置に取り付けられ、前記光源の光出力制御を行う一対のセンサと；前記一対のセンサの筐体にそれぞれ設けられ、前記センサの筐体を前記装置本体に対してパーン及びチルトの回動によって、前記センサの開口部から外方を望む方向を平行でない２平面内で可変とする角度調節部と；を具備し、一方のセンサと他方のセンサにおける外方を望む方向がパーンによる回動によって異なる方向とされ、かつそれぞれのセンサがチルトの回動により所望方向とされ、それぞれのセンサの監視範囲が重ならないように設定されていることを特徴とする。
【０００８】
光源は、蛍光灯、ＬＥＤ、電球などを指す。光源の光出力制御を行うためのセンサは、人感センサ、照度センサなどを許容する。角度調節部は、パーン機構、チルト機構を許容する。互いに平行でない２平面とは、一の平面と、この平面に対して平行でない少なくとも一つ以上の平面を意味する。つまり、角度調節部がセンサの向きを３次元空間内で自在に可変とすることができれば良い。
【０００９】
本発明に係る照明装置では、前記センサの受光部が、筐体の一部を受光部の検知範囲に位置させ受光部の実効的な検知範囲を調整することを特徴とする。
【００１０】
受光部の検知範囲とは、筐体等がない場合の受光部のみの検知可能な範囲をいい、受光部の実効的な検知範囲とはセンサが実際に検知することができる検知範囲をいう。
【００１１】
本発明に係る照明装置では、前記角度調整部は、装置本体とセンサとを接続する軸部を有し、装置本体の端部からのセンサの突出寸法を可変とすることを特徴とする。
【００１２】
本発明に係る照明装置では、前記センサは、装置本体の両端にそれぞれ配設されていることを特徴とする。
【００１３】
本発明に係る照明装置では前記装置本体に設けられ、前記装置本体の背面に対して一方の側面から他方の側面へ向かって背面からの距離が小さくなるように傾斜した反射板を有し、前記センサは装置本体の端部の中央より、一方の側面側に配設されたことを特徴とする。
【００１４】
本発明に係る照明装置では、センサの開口部から外方を望む方向を第１の平面内で可変させる場合において、操作により、前記望む方向を固定するための第１の固定手段と、センサの開口部から外方を望む方向を第２の平面内で可変させる場合において、操作により、前記望む方向を固定するための第２の固定手段と、
を備え、第１の平面内で可変させる場合における前記望む方向が装置本体と第１の所定関係となるセンサの第１のホームポジションと、第２の平面内で可変させる場合における前記望む方向が装置本体と第２の所定関係となるセンサの第２のホームポジションとを有し、センサの姿勢が前記第１のホームポジションと第２のホームポジションとに共に揃ったときには、前記第１の固定手段と前記第２の固定手段を同一方向から操作可能な位置に前記第１の固定手段と前記第２の固定手段が位置付けられることを特徴とする。
【００１５】
本発明に係る照明装置では、装置本体が壁または天井に配置された場合には、前記同一方向からの操作は床方向からの操作となる前記第１の固定手段と前記第２の固定手段が位置付けられることを特徴とする。
【００１６】
本発明に係る照明装置では前記角度調節部は、第１の平面内で可変させる場合に回動する第１の部品と、第２の平面内で可変させる場合に回動する第２の部品と、第２の部品の回動の基部を有する第３の部品とを備え、前記第１の部品には、第１の平面内で可変させる場合の前記望む方向を指示する第１の目盛が設けられ、前記第３の部品には、第２の平面内で可変させる場合の前記望む方向を指示する第２の目盛が設けられ、前記第３の部品には、第１の目盛の刻みと第２の目盛の刻みをそれぞれ選択的に指し示す共通の位置マークが設けられていることを特徴とする。
【発明の効果】
【００１７】
本発明に係る照明装置は、所定の検知範囲を有する受光部を有し、角度調節部によって、互いに平行でない２平面内で可変とされたセンサを具備するので、器具の設置位置や取り付けの向き等によらず異なる２方向の検知範囲を設定することができ、適切な照明制御が可能となる。
【００１８】
本発明に係る照明装置は、受光部の実効的な検知範囲を調整するように構成されているので、検知範囲の大きさを容易に設定することができる。
【００１９】
本発明に係る照明装置は、角度調整部は、装置本体とセンサとを接続する軸部を有し、装置本体の端部からのセンサの突出寸法を可変とするので、検知範囲を調節できるとともに、梱包時にセンサを器具側に収納し包装材料を少なくすることができる。
【００２０】
本発明に係る照明装置は、センサが装置本体の両端にそれぞれ配設されているので、器具の設置位置や取付の向き等によらず異なる２方向の検知範囲を設定することができる。
【００２１】
本発明に係る照明装置は、装置本体の背面に対して一方の側面から他方の側面へ向かって背面からの距離が小さくなるように傾斜した反射板を有し、センサは装置本体の端部の中央より、一方の側面側に配設されているので、光源より射出された光がセンサが設けられていない側へ反射板により反射されることになり、光源からの光などによりセンサが誤動作することを防止することができる。
【００２２】
本発明に係る照明装置によれば、センサの姿勢が第１のホームポジションと第２のホームポジションとが共に揃ったときには、第１の固定手段と第２の固定手段を同一方向から操作可能な位置に第１の固定手段と第２の固定手段が位置付けられるので、固定作業を一括して行うことが可能であり、便利である。
【００２３】
本発明に係る照明装置によれば、装置本体が壁または天井に配置された場合には、同一方向からの操作は床方向からの操作となるように第１の固定手段と第２の固定手段が位置付けられるので、作業を一括して容易に行うことが可能である。
【００２４】
本発明に係る照明装置によれば、第１の平面内で可変させる場合の、センサの開口部から外方を望む方向を指示する第１の目盛と、第２の平面内で可変させる場合の、センサの開口部から外方を望む方向を指示する第２の目盛とに対し、共通の位置マークによって目盛の刻みを指し示すことができ、構成を簡素化することができる。
【発明を実施するための最良の形態】
【００２５】
以下添付図面を参照して、本発明に係る照明装置の実施例を説明する。各図において、同一の構成要素には、同一の符号を付して重複する説明を省略する。図１には、実施例に係る照明装置について一部を透明化し、ほぼ正面側から見た斜視図を示し、図２に側面側からの斜視図を示す。この照明装置は、装置本体１０の筐体内に、光源である直管形の蛍光ランプ１１を備えている。蛍光ランプ１１には、ソケット１２を介して電力の供給がなされる。装置本体１０内部には、ソケット１２を介して電力を供給して蛍光ランプを点灯させるための点灯回路５０が備えられている。
【００２６】
装置本体１０の内側には、反射板１３が設けられている。この反射板１３は、装置本体１０の背面１０ａに対して一方向に傾斜している。即ち、反射板１３は、装置本体１０の開口側における蛍光ランプ１１に平行する一方の周縁部１４ａから傾斜して、上記装置本体１０の背面１０ａへ向かっており、この反射板１３は、上記周縁部１４ａと平行した対辺の周縁部１４ｂへと繋がっている。
【００２７】
装置本体１０の長手方向両端部に設けられた矩形状の側壁１５には、それぞれの側壁１５に直交すると共に装置本体１０から突出するアーム１７が立設されている。アーム１７の先端には、筐体としてのセンサケース２０を有するセンサ３０が取り付けられており、センサ３０は装置本体１０から突出した位置に配設されている。センサ３０はセンサケース２０の長手方向に所定の検知範囲を有する。そして、アーム１７の立設位置は、反射板１３の傾斜面と装置本体１０の背面１０ａとの距離Ｌが、側壁１５の中央における当該距離Lｃより、大きい側に設けられている。即ち、蛍光ランプ１１よりも、周縁部１４ａに近い側にアーム１７が立設されている。このため、蛍光ランプ１１より射出され反射板１３により反射される光の多くはセンサ３０に影響することがなくなっている。
【００２８】
図３に示されるように、アーム１７は、基部アーム１７ａと先端アーム１７ｂとからなる二段式の円筒状アームであり、基部アーム１７ａに先端アーム１７ｂを収納することができるように矢印のＺ方向へ伸縮する伸縮機構を備える。また、基部アーム１７ａは、装置本体１０内の筒状の保持部１８に植設されており、基部アーム１７ａを保持部１８に収容するように伸縮する機構を備えている。この伸縮機構を有するアーム１７によりセンサ３０と装置本体１０の側壁１５との寸法を可変することができる。この構成により、センサ３０を側壁１５に接触させた収納状態を実現することができ、この状態の照明装置は装置本体１０からのセンサ３０の突出量が少なくなる。このため、照明装置を少ない包装材で包装が可能である。また、照明装置を収納箱へ収納するときに突出部が収納箱に引掛かるなどの不具合が減少し、収納が容易になるとともに突出部のアーム１７が折れるなどの事故を防止可能である。アーム１７が折れるなどの事故防止の観点からは、側壁１５におけるアーム１７の立設位置に、想像線である二点鎖線により示す穴１９を形成すると好適である。穴１９は、収納されたセンサ３０の取り出しを考慮して、センサケース２０形状よりやや大きめに形成され、センサケース２０を装置本体１０内に収容可能な構成とする。
【００２９】
先端アーム１７ｂは基部アーム１７ａの筒内においてアーム１７の長手方向中心を軸として回動可能であり、基部アーム１７ａは保持部１８の筒内においてアーム１７の長手方向中心を軸として回動可能である。即ち、アーム１７を図４の矢印Ｘにより示すように回動可能とする機構である角度調節部として機能するものであり、この機構によりセンサ３０のセンサケース２０を装置本体１０に対して回動させることができる。つまり、センサ３０の検知方向を一つの平面(第１の平面)内で可変としている。別言すれば、センサ３０がアーム１７を軸として旋回可能であり、従って、センサ３０の検知方向を３６０度パーンさせることができるパーン機構を有する。
【００３０】
アーム１７とセンサケース２０とは、センサケース２０をアーム１７に対し図４の縦方向Ｙに回動(チルト)させ、センサ３０の検知方向を一つの平面(第１の平面)とは平行でない異なる平面（第２の平面）内で可変とする角度調整部としての軸２１により連結されている。センサケース２０は軸２１により必要位置において停止させることができ、軸２１を軸芯としたチルトによりセンサ３０の検知方向を縦向きに調整することができる。
【００３１】
図５に示すようにセンサケース２０には、センサの検知部としての受光部６２が収納されており、受光部６２はセンサケース２０の一方に形成された開口部６１から外方を望むように配設されて、受光部６２の一部がセンサケース２０から突出している。この受光部６２のセンサケース２０からの突出量を調整することによってセンサ３０の検知範囲を適宜設定することができる。ここで、センサ３０の検知方向とは受光部６２がセンサケース２０の開口部６１から外方を望む方向であり、受光部６２から検知範囲の略中央に向かう方向である。
【００３２】
センサ３０の検知範囲の調整方法について、以下説明する。センサ３０は受光部６２の側部を包み込む円筒状の内側筐体３１と、内側筐体３１を包み込む概ね円筒状の外側筐体３２とを有し、受光部６２内側筐体３１は固定的に結合されているが、内側筐体３１と外側筐体３２との間は摺動可能となっている。外側筐体３２には、円筒の丈方向に延びるように溝３３が形成され、この溝３３からは内側筐体３１の側面に設けられたレバー３４が突出している。レバー３４を溝３３に沿って動かすことにより、センサ３０を矢印Ａのように往復させることができる。このとき、センサ３０の検知部分である頭部３５が外側筐体３２の先端部３２ａから出入りし、検知エリアに対する見込み角度θを調整することができ、受光部６２の実効的な検知範囲を調整することが可能に構成されている。図５（ａ）に、頭部３５を僅かに突出させて見込み角度θを大きくした状態を示し、図５（ｂ）に、頭部３５をやや引っ込ませて見込み角度θを小さくした状態を示している。この構成は、検知エリアに対する見込み角度を変更する角度変更手段である。
【００３３】
検知エリアに対する見込み角度を変更する手段、即ち、受光部６２の実効的な検知範囲を調整することが可能にする手段の他の実施例を図６に示す。内側筐体３１の底面中央にネジ穴３８を有し、円板状の回転ハンドル３６の中心から延びる軸３７に上記ネジ穴３８と螺合するネジ３９を備える。センサケース２０の尾部２３に対しては、軸３７の軸受部２４が形成されている。ネジ３９には、ストッパ２５が取り付けられている。外側筐体３２と回転ハンドル３６とは独立している。この構成においては、外側筐体３２を持った状態において回転ハンドル３６を回転させると軸３７が回転してネジ３９が回転するため、ネジ穴３８を有する内側筐体３１が外側筐体３２内を摺動して矢印Ｂ方向に移動する。これにより、内側筐体３１に固定されているセンサ３０も矢印Ｂ方向に移動するので、検知エリアに対する見込み角度θを調整することができる。
【００３４】
装置本体１０には、正面側に延びる取り付けアーム４３が設けられており、取り付けアーム４３に板状の例えば半透明のパネル４１が取り付けられている。蛍光ランプ１１から射出される光は、パネル４１を通過して、またパネル４１と装置本体１０の間隙を介して照射される。
【００３５】
以上の通りに構成された照明装置は、二つの側壁１５が両サイドに位置するように配置して、或いは二つの側壁１５が上下に位置するように配置して、例えば階段における踊り場の壁に取り付けられる。取り付けられた状態において、アーム１７の伸縮機構によりセンサケース２０と装置本体１０との距離を適宜にして障害物などを避けて、センサ３０が例えば感熱センサ機能を備えて人の検知を行うことができるようにする。
【００３６】
一対のセンサ３０の一方は踊り場から上側へ延びる階段の人を検知するようにし、他方のセンサ３０によって踊り場から下側へ延びる階段の人を検知するようにする。即ち、軸２１を中心としてセンサケース２０をアーム１７に対し縦方向に回転させて所望の仰角或いは俯角とし、更にアーム１７のパーン機構を用いてセンサケース２０をアーム１７に対し横方向に回転させてセンサ３０が所望の方向を向くようにする。
【００３７】
そして、図５の構成を採用した場合にはレバー３４により、また図６の構成を採用した場合には回転ハンドル３６を回転させることにより、センサ３０における頭部３５の露出範囲を調整して検知エリアに対する見込み角度θを所望の角度とする。これにより、階段の下がフロアなどである場合に、フロアに居るが階段を利用しない人を検知して照明装置を点灯させるような不具合を防ぐことができる。
【００３８】
また、照明装置を階段の踊り場の壁に縦方向に配置し、つまり二つの側壁１５が天井面または床面と平行になるように上下に配置した場合には、軸２１を中心としてセンサケース２０をアーム１７に対し縦方向に回転させて所望の仰角或いは俯角とし、更にアーム１７のパーン機構を用いてセンサケース２０をアーム１７に対し横方向に回転させてセンサ３０が所望の方向を向くようにすることによって、例えば天井面側のセンサ３０を踊り場から上側へ延びる階段の人を検知するようにし、他方のセンサ３０によって踊り場から下側へ延びる階段の人を検知するようにすることができる。
【００３９】
このように、センサ３０の検知方向を互いに平行でない２つの平面内で回動させることによって、例えば天井面側のセンサ３０を踊り場から上側へ延びる階段の人を検知するようにし、他方のセンサ３０によって踊り場から下側へ延びる階段の人を検知するようにすることができる。
【００４０】
上記の実施例では、一対のセンサ３０の一方を装置本体１０における一方の側壁１５に設け、残りのセンサ３０を装置本体１０における他方の側壁１５に設けたが、他の実施例にかかる照明装置では、図７に示すように一対のセンサ３０の全てを装置本体１０における一方の側壁１５に設ける。この他の実施例の場合には、二つの側壁１５が上下に位置するように配置して、階段における踊り場の壁に取り付けた場合にも、軸２１を中心としてセンサケース２０をアーム１７に対し縦方向に回転させて所望の仰角或いは俯角とし、更にアーム１７のパーン機構を用いてセンサケース２０をアーム１７に対し横方向に回転させてセンサ３０が所望の方向を向くようにすることによって、踊り場から上側の階段と下側の階段に対する監視を適切行うことができる。
【００４１】
また、この実施例においては、一対のセンサ３０を支持するアーム１７の長さを異ならせるようにすれば、互いのセンサ３０が干渉することなくそれぞれの検知範囲を設定することができる。
【００４２】
また、一方の側壁１５側に一対のセンサ３０を設けたので照明装置を縦に配置した場合に、センサを照明装置の下部に集中させることができ、センサ３０の調整を低い位置で行うことができ、センサ３０の検知方向または検知範囲の設定作業を容易に行うことができる。
【００４３】
図８に、角度調整部を改良した照明装置の実施例を示し、図９に、角度調整部の一部断面分解斜視図を示す。この実施例では、アーム基部１７ａの端部にリング状の結合部１７ｆを設けている。結合部１７ｆはアーム基部１７ａに固定されており、動くことはない。
【００４４】
結合部１７ｆの側部には、ネジ１７ｇが螺合されるネジ穴が内壁に形成された筒部１７ｈが形成されている。筒部１７ｈの穴の向きは、装置本体１０が壁または天井に配置された場合には、床方向とされている。ネジ１７ｇの操作は床方向からの操作となる。図８に示す例では、壁９０に装置本体１０が配置された場合を示す。更に、結合部１７ｆの端面には、円周方向に沿ってチルト角度を指示する刻みを有する目盛１７ｊが形成されている。
【００４５】
先端アーム１７ｂは、その先端が図９に示すように平行する二面により構成される平面１７ｋを備えている。平面１７ｋの基端側には、軸２１を中心とした円周上の位置に、突起１７ｍが形成されている。また、先端アーム１７ｂの突起１７ｍに隣接する円筒部には、先端アーム１７ｂの軸方向に延びる直線である位置マーク１７ｎが形成されている。平面１７ｋの先端側には、軸穴１７ｐが穿設されている。
【００４６】
センサケース２０における尾部２３には、先端アーム１７ｂの平面１７ｋが入り込み、先端アーム１７ｂが回転する際の移動を考慮した長穴２６が形成されている。長穴２６の外側における穴周辺部には、図１０に示すようにパーン角度を指示する刻みを有する目盛２６ａが形成されている。長穴２６の内側における穴内周辺面には、図９に示すように複数の突起２６ｂが一定間隔で形成されている。
【００４７】
センサケース２０における尾部２３の内壁中央付近には、内側に突出したボス２７が形成されている。ボス２７は両壁に形成され向かい合って、先端アーム１７ｂの平面１７ｋを挿入する間隙を有している。ボス２７には軸方向に貫通したネジ穴２７ａが形成されている。センサケース２０と先端アーム１７ｂを結合する場合には、先端アーム１７ｂの平面１７ｋを二つのボス２７により作られた間隙に挿入し、軸２１となるネジ２１ａを、センサケース２０における尾部２３の外側からネジ穴２７ａへ挿入して螺合する。
【００４８】
センサケース２０と先端アーム１７ｂが結合された状態では、長穴２６の内側の凹部２６ｂと先端アーム１７ｂの平面１７ｋに形成された突起１７ｍが噛み合って、先端アーム１７ｂの回転を所定角度刻みで係止する。
【００４９】
センサケース２０は、センサ３０の開口部６１から外方を望む方向を第１の平面内で可変させる場合（パーンの場合）において、上記望む方向が装置本体１０と第１の所定関係となる第１のホームポジションを有する。つまり、図８の通り、例えばアーム１７とセンサ３０の開口部６１から外方を望む方向とが直交するときに、この外方を望む方向が装置本体１０の前方となった状態が第１のホームポジションである。
【００５０】
センサケース２０は、センサ３０の開口部６１から外方を望む方向を第２の平面内で可変させる場合（チルトの場合）において、上記望む方向がアーム１７と直交する第２の所定関係となる第２のホームポジションを有する。図８の状態が第２のホームポジションである。
【００５１】
センサ３０の姿勢が上記第１のホームポジションと第２のホームポジションとに共に揃ったとき（図８のとき）には、第１の固定手段を構成するネジ１７ｇと第２の固定手段を構成するネジ２１ａを同一方向から操作可能となる。つまり、ネジ１７ｇとネジ２１ａのネジ頭が共に図８においては床側を向き、同一方向である床側から固定作業を行うことができる。本実施例の場合には結合部１７ｆが動かないために第１の固定手段を構成するネジ１７ｇは、常に一定方向を向くが、結合部１７ｆが動く場合においても、センサ３０の姿勢が第１のホームポジションと第２のホームポジションとに共に揃ったとき同一方向から固定作業を行うことができるように、第１の固定手段と第２の固定手段が位置付けられる。
【００５２】
パーンのときには、先端アーム１７ｂと共に位置マーク１７ｎが回転して、パーン角度を指示する目盛１７ｊの刻みにおけるいずれかを指し示し、パーン角度を知ることができる。また、チルトのときには、チルト角度を指示する目盛２６ａの刻みがセンサケース２０と共に回転して、先端アーム１７ｂの位置マーク１７ｎにより目盛２６ａの刻みにおけるいずれかが指し示され、チルト角度を知ることができる。このように、位置マーク１７ｎはパーン角度及びチルト角度を同時に表示することができる共通の指針となっている。
【図面の簡単な説明】
【００５３】
【図１】本発明の第１実施例に係る照明装置について一部を透明化し、ほぼ正面側から見た斜視図。
【図２】本発明の第１実施例に係る照明装置についてほぼ側面側から見た斜視図。
【図３】本発明の第１実施例に係る照明装置の要部を説明するための正面図。
【図４】本発明の第１実施例に係る照明装置の要部を説明するための斜視図。
【図５】本発明の実施例に係る照明装置の要部を説明するための側面図。
【図６】本発明の実施例に係る照明装置の要部を説明するための断面図。
【図７】本発明の第２実施例に係る照明装置について一部を省略した斜視図。
【図８】本発明に係る照明装置の角度調整部を改良した実施例を示す一部省略斜視図。
【図９】本発明に係る照明装置の角度調整部を改良した実施例の要部を示す一部断面組立斜視図。
【図１０】本発明に係る照明装置の角度調整部を改良した実施例の要部を示す側面図。
【符号の説明】
【００５４】
１０  装置本体
１１  蛍光ランプ
１３  反射板
１７  アーム
２０  筐体としてのセンサケース
２１  軸
３０  センサ
６１  開口部
６２  受光部
【図１】
0005223500.tif 000002
【図２】
0005223500.tif 000003
【図３】
0005223500.tif 000004
【図４】
0005223500.tif 000005
【図５】
0005223500.tif 000006
【図６】
0005223500.tif 000007
【図７】
0005223500.tif 000008
【図８】
0005223500.tif 000009
【図９】
0005223500.tif 000010
【図１０】
0005223500.tif 000011